(57)【要約】  【課題】商品を収納する収納室と商品を冷却または加温する保温室とを区画した自動販売機で、品質劣化した商品の販売をより確実に防止するとともに、保温室への搬送をシンプルな構造としコストダウンを図った自動販売機を提供する。  【解決手段】商品収納コラム４２内の最後尾の商品から順番に商品搬送機構によって保温室内に収納され冷却または加温されることで、貯蔵ゾーンと保温ゾーンを断熱区画しているので、消費電力量を低減することができる。また、商品搬送機構に商品２２を一時的に保持する中継搬送手段５７と商品を乗せた搬送ステージ５９を引掛ける係合部材５８を設けることで、商品の受渡しに関して専用の駆動手段を備える必要がない。【選択図】図５
2009015764.tif 000002
【特許請求の範囲】
【請求項１】
自動販売機本体の上部に商品を収納する商品収納室と、下部に商品を冷却または加温する保温室とを断熱仕切板によって上下に断熱区画する自動販売機であって、前記商品収納室の後方に形成された空間部には前記商品収納室内の商品を保持して前記保温室へ搬送する商品搬送手段と前記商品搬送手段を支持して水平および上下方向に移動可能にする支持部材と下部に位置して前記保温室へ前記商品を搬送する中継搬送手段とを備えた商品搬送機構が構成され、前記商品搬送手段が前記支持部材とともに前記商品搬送機構の下部へ移動した時、前記商品は前記商品搬送手段から一旦前記中継搬送手段に送られた後、前記保温室へ搬送されることを特徴とする自動販売機。
【請求項２】
商品搬送手段に倒置姿勢で商品を保持する搬送ステージと前記搬送ステージを回動可能にする軸部と、商品搬送機構の下部に前記搬送ステージに係合する係合部材を備え、前記商品搬送手段が移動した時、前記係合部材は前記搬送ステージに係合して、前記軸部を中心に前記搬送ステージが回動し、前記商品を中継搬送手段に移動させることを特徴とした請求項１に記載の自動販売機。
【請求項３】
係合部材は、商品搬送機構の下部に形成された下部支持部材に形成され、前記係合部材の自由端部は上下方向に回動可能で、待機時は略水平状態に維持されていることを特徴とする請求項２に記載の自動販売機。
【請求項４】
商品搬送機構に中継搬送手段を保持するロック機構を設け、商品搬送手段が支持部材と共に下降し、前記ロック機構を押し下げることで解除され、前記中継搬送手段が下方へ回動することを特徴とした請求項１から３のいずれか一項に記載の自動販売機。
【請求項５】
自動販売機本体の上部に商品を収納する商品収納室と、下部に商品を冷却または加温する保温室とを断熱仕切板によって上下に断熱区画する自動販売機であって、前記商品収納室の後方に形成された空間部には前記商品収納室内の商品を搬送ステージに保持して前記保温室へ搬送する商品搬送手段と前記商品搬送手段を支持して水平および上下方向に移動可能にする支持部材と下部に位置して上方向に突出する突出部材とを備えた商品搬送機構が構成され、前記商品搬送手段が前記支持部材とともに前記商品搬送機構の下部へ移動した時、前記搬送ステージは前記突出部材によって下方から突上げられることで傾斜配置し、前記商品を前記保温室へ搬送することを特徴とした自動販売機。
【請求項６】
突出部材を固定し商品収納室と保温室とを上下に区画する区画壁と前記区画壁に前記商品収納室と前記保温室とを連通する孔部を形成し、商品は前記孔部を通って保温室へ搬送されることを特徴とする請求項５に記載の自動販売機。
【発明の詳細な説明】
【技術分野】
【０００１】
本発明は、商品の保存収納部と販売待機時の保温部とを分離配置し、商品の品質劣化防止を図った自動販売機に関するものである。
【背景技術】
【０００２】
従来、この種の自動販売機で庫内を加熱室と冷却室に上下に分離したものがあった（特許文献１参照）。
【０００３】
図１４は、特許文献１に記載された従来の自動販売機の縦断面図を示すものである。図に示すように、自動販売機本体１内には断熱壁２により囲まれた前面が開閉可能な商品収納庫３が構成され、商品収納庫３内にはセグメント４により上下に蛇行する商品収納室５が形成されている。各商品収納室５には、前面の商品投入口から投入された商品が横倒し姿勢で積み重ねられて多数収納されている。
【０００４】
また、各商品収納室５は上部の貯蔵ゾーン６と下部の加熱ゾーン７とに区画され、その間は回動自在に断熱性のフラッパ８により仕切られている。加熱ゾーン７の下端部には商品搬出機構９が設置され、加熱ゾーン７の一番下の商品を商品搬出機構９で支えている。また、貯蔵ゾーン６の一番下の商品は商品移動機構１０によって支えられている。
【０００５】
加熱ゾーン７の下方には、搬出された商品を前方の商品取出口１１へ導くシュータ１２が配置され、その内部にはヒータ１３、ファン１４が配置され、加熱ゾーン７に庫内空気を循環送風している。
【０００６】
以上のように構成された自動販売機について、以下その動作を説明する。
【０００７】
加温ゾーン７内の商品はファン１４によりヒータ１３を通して循環される高温の空気により加熱され、例えば５２〜５３℃の適温で販売待機する。一方断熱性のフラッパ８で加熱ゾーン７から仕切られた貯蔵ゾーン６では商品はほぼ常温で貯蔵され、加熱ゾーン７の商品数が販売により減少すると商品移動機構１０により、貯蔵ゾーン６内の商品が加熱ゾーン７に移される。
【０００８】
これにより、加熱状態に置かれる加熱ゾーン７の商品数は販売状況に応じた必要最小限に留められ、商品の変質機会を抑えることができる。
【特許文献１】特開２０００−５７４３１号公報
【発明の開示】
【発明が解決しようとする課題】
【０００９】
しかしながら、上記従来の構成では、貯蔵ゾーン６と加熱ゾーン７は断熱性のフラッパ８で仕切られて貯蔵ゾーン６への熱的影響を抑えているものの、フラッパ８は円弧状のセグメント４で形成される商品通路内を仕切っており、複数列の商品通路があると、その個数分だけフラッパ８が必要となり、またセグメント４とフラッパ８の間にはわずかな隙間が形成されやすく、また商品通路と隣合う商品通路の間のスペースにはフラップ８が形成されておらず、貯蔵ゾーン６と加熱ゾーン７は、少なくとも商品通路間のスペース部分で連通した構造となっており、加熱ゾーン７内の加熱空気が上昇し貯蔵ゾーン６に侵入し、貯蔵ゾーン６の最下部の商品はその熱的影響により変質しやすく、また加熱ゾーン７内の商品の加熱効率を低減することになるという課題を有していた。
【００１０】
本発明は、上記従来の課題を解決するもので、商品を収納する収納室と商品を冷却または加温する保温室とを上下に区画した自動販売機で、品質劣化した商品の販売をより確実に防止するとともに、保温室内の冷却または加熱効率を高めた自動販売機を提供することを目的とする。
【課題を解決するための手段】
【００１１】
上記従来の課題を解決するために、本発明の自動販売機は、自動販売機本体の上部に商品を収納する商品収納室と、下部に商品を冷却または加温する保温室とを断熱仕切板によって上下に断熱区画する自動販売機であって、前記商品収納室の後方に形成された空間部には前記商品収納室内の商品を保持して前記保温室へ搬送する商品搬送手段と前記商品搬送手段を支持して水平および上下方向に移動可能にする支持部材と下部に位置して前記保温室へ前記商品を搬送する中継搬送手段とを備えた商品搬送機構が構成され、前記商品搬送手段が前記支持部材とともに前記商品搬送機構の下部へ移動した時、前記商品は前記商品搬送手段から一旦前記中継搬送手段に送られた後、前記保温室へ搬送されるものである。
【００１２】
これによって、商品収納室と保温内を断熱区画しながら、商品を倒置姿勢に維持したまま保温室内に搬送することができる搬送機構を提供することができる。
【発明の効果】
【００１３】
本発明の自動販売機は、商品収納室と保温室を上下に区画して、商品の品質劣化の防止を図るとともに、商品収納室から保温室へ商品姿勢を維持したまま搬送できるので保温室内での商品詰りを低減することができる。
【発明を実施するための最良の形態】
【００１４】
請求項１に記載の発明は、自動販売機本体の上部に商品を収納する商品収納室と、下部に商品を冷却または加温する保温室とを断熱仕切板によって上下に断熱区画する自動販売機であって、前記商品収納室の後方に形成された空間部には前記商品収納室内の商品を保持して前記保温室へ搬送する商品搬送手段と前記商品搬送手段を支持して水平および上下方向に移動可能にする支持部材と下部に位置して前記保温室へ前記商品を搬送する中継搬送手段とを備えた商品搬送機構が構成され、前記商品搬送手段が前記支持部材とともに前記商品搬送機構の下部へ移動した時、前記商品は前記商品搬送手段から一旦前記中継搬送手段に送られた後、前記保温室へ搬送されるので、前記商品収納室と前記保温室の間を断熱区画することで、特に加温室による収納室内への熱影響を遮断し、品質劣化を低減することができ、かつ、前記保温室への商品搬送では、商品の倒置姿勢を保持したまま搬送できるので、保温室内で商品詰りなどのトラブルを防止することができる。
【００１５】
請求項２に記載の発明は、請求項１に記載の発明にさらに、商品搬送手段に倒置姿勢で商品を保持する搬送ステージと前記搬送ステージを回動可能にする軸部と、商品搬送機構の下部に前記搬送ステージに係合する係合部材を備え、前記商品搬送手段が移動した時、前記係合部材は前記搬送ステージに係合して、前記軸部を中心に前記搬送ステージが回動し、前記商品を中継搬送手段に移動させるので、前記中継搬送手段への受渡しに専用の駆動手段を必要とせず、シンプルな機構で確実な受渡しをすることができる。
【００１６】
請求項３に記載の発明は、請求項２に記載の発明にさらに、係合部材は、商品搬送機構の下部に形成された下部支持部材に形成され、前記係合部材の自由端部は上下方向に回動可能で、待機時は略水平状態に維持されているので、商品搬送手段が商品搬送機構の下部へ移動した時、係合部材に阻止されるのを防止することができ、中継搬送手段へ商品を受け渡すときに、係合部材に不用意に引掛ってトラブルになるのを防止できる。
【００１７】
請求項４に記載の発明は、請求項１から３のいずれか一項に記載の発明にさらに、商品搬送機構に中継搬送手段を保持するロック機構を設け、商品搬送手段が支持部材と共に下降し、前記ロック機構を押し下げることで解除され、前記中継搬送手段が下方へ回動するので、ロックを外すための専用の駆動手段を必要とせず、シンプルで安価な構成とすることができる。
【００１８】
請求項５に記載の発明は、自動販売機本体の上部に商品を収納する商品収納室と、下部に商品を冷却または加温する保温室とを断熱仕切板によって上下に断熱区画する自動販売機であって、前記商品収納室の後方に形成された空間部には前記商品収納室内の商品を搬送ステージに保持して前記保温室へ搬送する商品搬送手段と前記商品搬送手段を支持して水平および上下方向に移動可能にする支持部材と下部に位置して上方向に突出する突出部材とを備えた商品搬送機構が構成され、前記商品搬送手段が前記支持部材とともに前記商品搬送機構の下部へ移動した時、前記搬送ステージは前記突出部材によって下方から突上げられることで傾斜配置し、前記商品を前記保温室へ搬送するので、商品収納室と保温室の間を断熱区画することで、特に加温室による収納室内への熱影響を遮断し、品質劣化を低減することができ、かつ、シンプルな機構で専用の駆動手段不要で保温室へ商品を搬送することができる。
【００１９】
請求項６に記載の発明は、請求項５に記載の発明にさらに、突出部材を固定し商品収納室と保温室とを上下に区画する区画壁と前記区画壁に前記商品収納室と前記保温室とを連通する孔部を形成し、商品は前記孔部を通って保温室へ搬送されるため、簡単な構成で保温室への搬送を実現することができ、さらに機構をコンパクトにすることができる。
【００２０】
以下、本発明の実施の形態について、図面を参照しながら説明するが、先に説明した実施の形態と同一構成については同一符号を付して、その詳細な説明は省略する。なお、この実施の形態によってこの発明が限定されるものではない。
【００２１】
（実施の形態１）
図１は本発明の実施の形態１を示す自動販売機本体の正面図である。図２は本実施の形態の自動販売機本体の斜視図である。図３は本実施の形態の自動販売機の縦断面概略図である。図４から図７は本実施の形態の自動販売機の部分斜視図である。図８及び図９は同実施の形態の自動販売機の部分縦断面図である。
【００２２】
図において、自動販売機本体４０内には複数の商品収納室４１が区画構成されて種々の商品２２がそれぞれ収納されている。自動販売機本体４０の前面開口部には外扉２３が配置されている。外扉２３の上部に商品サンプル展示室２４、その下方に商品の広告などを掲示する広告パネル室２５と金銭投入部２６が横並びに備えられ、外扉２３の下部には選択された商品２２を排出する商品取出口２７が備えられている。
【００２３】
次に自動販売機本体４０内の構造について説明する。
【００２４】
自動販売機本体４０内には商品２２を横倒し姿勢で収納する１つの商品収納室４１が構成され、商品収納室４１は前後方向に商品２２を収納する形態の商品収納コラム４２である。商品収納コラム４２は奥行き方向に向かって下方に傾斜配置する構成となって上下左右に複数列、複数段に構成されている。商品２２を常温で維持する商品収納室４１の下部には商品２２を冷却または加温して適温に維持する保温室４３が断熱区画して形成され、商品収納室４１と保温室４３の間には断熱仕切板４４が配置している。
【００２５】
断熱仕切板４４も奥行き方向に向かって下方に傾斜配置しており、商品収納コラム４２とほぼ平行になるように傾斜している。また保温室４３の側壁、背壁、底壁も断熱仕切板４５で区画形成されている。断熱仕切板４４、４５は真空断熱材で構成されていてもよい。
【００２６】
商品収納室４１の後方には上下方向に亘って空間部４６が形成され、その空間部４６内には商品搬送機構４７が構成され、商品２２を商品収納室４１から保温室４３へ搬送する商品搬送機構４７が上下左右に移動自在になるように構成されている。
【００２７】
したがって、自動販売機本体４０内は商品収納室４１の後方に商品搬送機構４７の空間部４６が形成され、商品収納室４１と空間部４６の下方に保温室４３が形成されているので、図のように商品収納室４１の奥行き寸法よりも保温室４３の奥行き寸法の方が大きく構成されている。そして空間部４６と保温室４３とは連通可能に形成され、すなわち断熱仕切板４４の上部にある空間部４６と対応する位置には連通可能な孔部４４ａが形成され、開閉自在のシャッター４４ｂにより構成されている。
【００２８】
ここで、商品搬送機構４７の構成について説明する。商品搬送機構４７の枠形のフレーム内には、支持部材５５（以下、横ステー５５という）があり、フレーム内を略水平を保ったまま垂直移動可能になっている。この横ステー５５は図示しないモータによって、図示しないタイミングベルトなどの駆動手段を介して移動する。横ステー５５上には、横ステー５５上を水平方向に移動可能な商品搬送手段５６がある。この商品搬送手段５６についても、図示しないモータによって、図示しないタイミングベルトなどの駆動手段を介して移動する。商品搬送手段５６の上には搬送ステージ５９が乗っており、搬送ステージ５９は商品搬送手段５６の軸部５６ａを回転中心として回動自在となっている。搬送ステージ５９は後方へ向かって下降傾斜しており、後部は商品２２を受止めるべく立ち上がり、その上端には後方へ向かって突起５９ａが形成されている。
【００２９】
商品搬送機構４７の枠体の下部を形成している下部支持部材６３（以下、下ステー６３という）の上端には係合部材５８（以下、後方引掛け部材５８という）が上下方向に回動可能に取り付けられており、通常略水平状態に対峙するように、バネ６０によって付勢されている。
【００３０】
商品搬送機構４７の下ステー６３の下部には、中継搬送手段５７があり、底面からは脚５７ａが突出している。中継搬送手段５７は、下ステー６３の軸部６３ａを中心に脚５７ａが回動自在に軸支され、通常は略水平状態になるように戻しバネ６１によって付勢されている。また、中継搬送手段５７の両端は壁状に立ち上がり、外側方向に突出ピン５７ｂが突出している。
【００３１】
商品搬送機構４７の下ステー６３には、軸部６３ｂを中心に回動自在にフック部材６２が軸支され、通常は略水平状態になるように、一端が下ステー６３のストッパー６３ｃに当接するようになっていると共に、カギ状の一端が中継搬送手段５７の突出ピン５７ｂを引掛けており、中継搬送手段５７に商品２２が乗っても回動しないようになっている。
【００３２】
次に保温室４３内の構成について説明する。
【００３３】
保温室４３内には商品２２を回転撹拌させるゴンドララック４８が構成され、ゴンドララック４８内で商品２２自身が回転撹拌し高速冷却または高速加熱するしくみになっている。またゴンドララック４８内の中央部には駆動部４８ａがあり、この駆動部４８ａによって、商品２２を前方位置に運ぶように縦回転可能に構成されている。またゴンドララック４８内には商品位置を特定できるように、特定箇所に特定商品が格納される、いわゆる番地格納部４８ｃ、４８ｄ、４８ｅ・・・がそれぞれ設定されている。
【００３４】
ゴンドララック４８の下部には冷却システムの蒸発器４９や電気ヒータ５０が配置され保温室４３の冷却または加温を行うように構成されている。
【００３５】
保温室４３の前方には排出搬送手段５１が構成され、保温室４３から選択された商品２２が排出搬送手段５１によって商品取出口２７へ排出される。排出搬送手段５１は保温室４３の前方で上下左右方向に動作可能でもよく、この場合、排出搬送手段５１が商品２２を受け取って商品取出口２７まで運べるので、商品取出口２７を自動販売機全幅方向にワイドに構成する必要がなく、横倒し商品１個が排出される幅の商品取出口２７として形成できる。
【００３６】
また図のように、排出搬送手段５１の左右側に傾斜板５１ａを設けて商品２２が排出搬送手段５１中央部に集まるようにすれば、排出搬送手段５１を上下方向に移動させるだけで商品取出口２７へ排出できる。
【００３７】
また保温室４３内を左右に冷却専用室、加温室に断熱区画してそれぞれの区画室内にゴンドララック４８を備えて冷却専用室４３ａと加温専用室４３ｂに分けてもよい。
【００３８】
そして保温室４３の下部には冷却システムを構成する圧縮機５２、室外熱交換器５３があり、蒸発器４９と接続されていて、またこれらを駆動する電装ボックスなどが配置されている。また加温するために電気ヒータ５０を構成したが、ヒートポンプ方式により排熱を加温室の加温に、吸熱を冷却室の冷却に使用してもよい。これによってさらに消費電力量を低減できる。
【００３９】
以上のように構成された自動販売機の動作について説明する。
【００４０】
自動販売機本体４０内の商品２２は、常温の商品収納室４１の商品収納コラム４２内に横倒し姿勢で収納されている。商品収納室４１の領域と空間部４６の領域は常温に維持されているので長期間ストックされていても品質を維持できる。
【００４１】
また商品収納室４１と自動販売機本体４０の間には断熱壁を構成する必要がなく、商品収納室４１をよりワイドに配置することができ、収納する商品２２の収納効率をアップすることができる。
【００４２】
ただし、自動販売機は屋外設置もあり、夏場の高外気にさらされるので、断熱壁を設けて外気による商品劣化を抑える構造にしてもよい。
【００４３】
そして、商品収納コラム４２内の最後方部にある商品２２から順番に商品搬送機構４７によって保温室４３内に搬送される。
【００４４】
ここで、商品搬送機構４７による商品搬送の詳細を説明すると、横倒し姿勢で商品収納コラム４２に収納された商品２２は、商品搬送機構４７の商品搬送手段５６に乗り移り、搬送ステージ５９に乗ったまま、商品搬送機構４７の下部へ移動し、搬送先のゴンドララック４８の一つ分左にずれた位置へ移動する。このとき、後部では搬送ステージ５９の突起５９ａが丁度、後方引掛け部材５８に引掛かる位置関係になっている。また、商品搬送機構４７の横ステー５５が下降するとき、後方引掛け部材５８に当接するが、後方引掛け部材５８は下方向に逃げるので、トラブルになることはない。この状態から商品搬送手段５６が左に移動すると、搬送ステージ５９が回動し、傾斜する。すると、商品２２は一旦搬送先のゴンドララック４８の真上にある中継搬送手段５７上に滑り落ちる。そして、断熱仕切板４４に形成したシャッター４４ｂが開き、商品収納室４１と保温室４３が連通可能となる。この段階では、商品２２は中継搬送手段５７に乗ったままであるが、商品搬送機構４７の横ステー５５がさらに下降すると、横ステー５５の下部がフック部材６２の一端を押し下げることで、フック部材６２が回動して、カギ状の一端部が上がることで中継搬送手段５７の突起５９ａから外れ、中継搬送手段５７は商品２２の重量により回動する。これによって、商品２２は中継搬送手段５７に沿って落下していき、その先にあるゴンドララック４８内に搬送される。
【００４５】
ゴンドララック４８への商品２２の搬送が終了すると、中継搬送手段５７は戻しバネ６１に付勢されているので、元の略水平状態に戻り、商品搬送機構４７の横ステー５５が上昇することにより、フック部材６２も略水平に戻ることで、中継搬送手段５７の突出ピン５７ｂをカギ状部が引掛ける。横ステー５５は所定の待機位置へ上昇して帰っていくが、このとき後方引掛け部材５８に当接しても、上方向に逃げるので、トラブルになることはない。そして、シャッター４４ｂが閉じて、商品収納室４１と保温室４３を断熱区画する。
【００４６】
したがって、商品２２の搬送時以外はシャッター４４ｂで閉じて熱の移動を遮断しているので、保温室４３内の冷却または加温効率を高め、省エネを図ることができる。また商品収納室４１内を保温室４３からの熱影響を低減できるので商品２２の品質劣化を低減し長期の収納保存を実現することが出来る。
【００４７】
そして保存室４３内ではゴンドララック４８内の番地格納部４８ｃが商品２２の格納分だけ構成されており、商品搬送機構４７に運ばれてくる商品２２に対して特定の番地格納部４８ｃへ収納され、別の商品には、その別の商品に対して特定された番地格納部４８ｄへ収納される。
【００４８】
そしてゴンドララック４８内で商品自身が自転し、回転撹拌しながら、冷却加温システムまたは電気ヒータによって、高速冷却または高速加温を行い、適温に保温することができる。選択された商品２２は駆動部４８ａが回転動作することで、ゴンドララック４８の前方まで移動し、排出搬送手段５１に受け渡されて、商品取出口２７から排出される。商品取出口２７が上方にあるときは、排出搬送手段５１がリフトアップし商品排出をする。
【００４９】
したがって、選択ボタン３７に対して商品収納コラム４２と保温室４３のゴンドララック４８内の番地格納部４８ｃ、４８ｄ、４８ｅ・・・があらかじめ設定されており、利用者が好みの選択ボタン３７を操作することによって、番地格納部４８ｃ、４８ｄ、４８ｅ・・・から選択された商品２２が特定されて排出され、その特定商品と同じ商品を収納する商品収納コラム４２が特定されて、商品搬送機構４７によって選択されて、保温室４３の番地格納部４８ｃ、４８ｄ、４８ｅ・・・に保温収納されるので、自動販売機内の商品収納室４１と保温室４３の自動在庫管理を行うことができるので、保温室４３内での滞在日数管理ができ、加温劣化防止のため、商品２２の売行き等によって、自動的に加温を中断し劣化防止を図ることができるので商品の鮮度を自動管理できる。また商品収納室４１の貯蔵ゾーンと保温室４３の保温ゾーンを断熱区画しているので、消費電力量を低減することができる。
【００５０】
また倒置姿勢で商品収納コラム４２に投入された商品は、商品搬送機構４７の商品搬送手段５６の搬送ステージ５９上に保持された時、次工程の中継搬送手段５７に保持されたときも倒置姿勢のまま維持して保温室４３に収納され、商品姿勢を一定にしているので途中工程での詰りトラブルを低減し、商品の傷つきや泡立ちを低減できる。
【００５１】
また商品収納コラム４２は前後方向に移動可能であり、コラム４２内で商品詰りが起こった場合でも、前方に商品収納コラム４２を個別に引き出せるので、簡単に詰りを直すことができる。
【００５２】
また断熱仕切板４４、４５は真空断熱材で形成されているので断熱壁厚を薄くでき、保温室４３の内容積をさらにアップすることができるので、ゴンドララック４８の収納効率をアップすることが出来き、保温室の断熱効率を高め消費電力量をさらに低減できる。
【００５３】
また断熱仕切板４４は商品収納室４１の全幅に亘って形成したが、少なくとも加温室４３ｂの上部と商品収納室４１との間を断熱区画するものでもよく、この場合、冷却室４３ａの上部は商品収納室４１と熱的に断熱されず、商品収納室４１内の商品２２も冷却保存されるので、同じ商品が短期間の間に販売される場合、商品温度を適温に維持することができ、販売機会を確保することができる。
【００５４】
（実施の形態２）
図１０は本発明の実施の形態２を示す自動販売機本体の正面概略図である。図１１は本実施の形態の自動販売機本体の縦断面概略図である。図１２及び図１３は本実施の形態の自動販売機の部分斜視図である。
【００５５】
図において、自動販売機の外扉２３の構造は実施の形態１と同様である。
【００５６】
自動販売機本体９０内の構造について説明する。
【００５７】
自動販売機本体９０内には商品２２を横倒し姿勢で収納する商品収納室９１が構成され、商品収納室９１は、前後方向に商品２２を収納する形態の商品収納コラム９２である。商品収納コラム９２は奥行き方向に向かって下方に傾斜配置する構成となって上下左右に複数列、複数段に構成されている。商品収納室９１の下部には保温室９３が断熱区画して形成され、商品収納室９１と保温室９３の間には真空断熱材で構成された断熱仕切板９４が配置しており、断熱効率を高めることが出来る。
【００５８】
また商品収納室９１と保温室９３の間には、保温室９３内の商品２２を商品取出口２７へ排出する排出搬送手段９５が備えられている。排出搬送手段９５は自動販売機本体９０内の前方側で、下方に配置する保温室９３に対応して、左右方向に移動可能に構成されている。排出搬送手段９５が収納される収納スペース９６は商品収納室９１と断熱区画されず、同じ温度帯域に構成され、収納スペース９６は前方から後方に向かって空間域が徐々に狭くなっていくように構成されている。
【００５９】
また、商品取出口２７の後壁２７ａには、取出口開閉機構２７ｂが備えられ、取出口開閉機構２７ｂと排出搬送手段９５とは対応した位置にあり、商品取出口２７と排出搬送手段９５とがほぼ同じ高さ位置に構成されている。
【００６０】
断熱仕切板９４は略水平方向に配置され、保温室９３の前壁、側壁、背壁、底壁は真空断熱材で構成された断熱仕切板９７で区画形成されている。
【００６１】
商品収納室９１の後方には、上下方向に亘って空間部９８が形成され、その空間部９８内には商品搬送機構９９が構成され、商品２２を商品収納室９１から保温室９３へ搬送する商品搬送機構９９が上下左右に移動自在になるように構成されている。
【００６２】
したがって、自動販売機本体９０内は商品収納室９１の後方に商品搬送機構９９の空間部９８が形成され、商品収納室９１と空間部９８の下方に保温室９３が形成されているので、図のように商品収納室９１の奥行き寸法よりも保温室９３の奥行き寸法の方が大きく構成されている。そして空間部９８と保温室９３とは連通可能に形成され、すなわち断熱仕切板９４の上部にある空間部９８と対応する位置には連通可能な開口部９４ａが形成され、開閉自在のシャッター９４ｂにより構成されている。
【００６３】
ここで、商品搬送機構９９の構成について説明する。商品搬送機構９９の枠形のフレーム内には、支持部材１１５（以下、横ステー１１５という）があり、フレーム内を略水平を保ったまま垂直移動可能になっている。この横ステー１１５は図示しないモータによって、図示しないタイミングベルトなどの駆動手段を介して移動する。横ステー１１５上には、横ステー１１５上を水平方向に移動可能な商品搬送手段１１６がある。この商品搬送手段１１６についても、図示しないモータによって、図示しないタイミングベルトなどの駆動手段を介して移動する。商品搬送手段１１６の上には搬送ステージ１１７が乗っており、搬送ステージ１１７は商品搬送手段１１６の軸部１１６ａを回転中心として回動自在となっている。搬送ステージ１１７は後方へ向かって下降傾斜しており、後部は商品２２を受止めるべく立ち上がって壁を形成している。また、商品搬送手段１１６の中央には中央孔１１６ｂが空けられている。
【００６４】
商品搬送機構９９の枠体の下部を形成している区画壁１２１（以下、下ステー１２１という）上には保温室に繋がる孔部１１８が数個併設され、それぞれの孔部１１８には商品２２をガイドするための孔シューター１１９が形成されている。そして、それぞれの孔シューター１１９の右側の案内部には突出部材１２０（以下、突上げ棒１２０という）が垂直上向きに突出している。
【００６５】
また下ステー１２１によって商品収納室９１と保温室９３とを一部区画している。
【００６６】
次に保温室９３内の構成について説明する。
【００６７】
保温室９３内には商品２２を回転撹拌させるゴンドララック１００が構成され、ゴンドララック１００内で商品自身が立ち姿勢のまま、回転撹拌し高速冷却または高速加熱するしくみになっている。またゴンドララック１００内の中央部には駆動部１００ａがあり、この駆動部１００ａによって、商品２２を立ち姿勢の状態で前方位置に運ぶように縦回転可能に構成されている。またゴンドララック１００内には商品位置を特定できるように、特定箇所に特定商品が格納される、いわゆる番地格納部１００ｃ、１００ｄ、１００ｅ・・・がそれぞれ設定されている。
【００６８】
ゴンドララック１００の下部には冷却加温ユニット１０１が断熱区画されて、配置され保温室９３の冷却または加温を行うように構成されている。冷却加温ユニット１０１は、冷却するための室内熱交換器１０１ａと、熱交換された空気を強制送風する送風ファン１０１ｂを構成しており、ヒートポンプ方式により排熱を加温室の加温に、吸熱を冷却室の冷却として構成されている。ヒートポンプ方式にすることでさらに消費電力量を低減できる。また冷却加温ユニットとして冷却システムと電気ヒータを備えて冷却または加温してもよく、電気ヒータにより急速加熱を実現することができる。
【００６９】
また冷却加温ユニット１０１の下部には、冷却加温ユニットの圧縮機１０２、凝縮器１０３等の冷却システムの機能部品が構成された機械室１０４が形成されている。
【００７０】
保温室９３の上部にある断熱壁には開口部９４ａが構成され、保温室９３内の商品２２を上方の収納スペース９６へ持ち上げられるようになっている。排出搬送手段９５は商品２２の両サイドから挟み込んで保持し、前後方向に移動可能となっている。したがって、商品２２は商品取出口２７の後方から前方に向かって排出されることとなる。
【００７１】
また保温室９３内を左右に冷却専用室、加温室に断熱区画してそれぞれの区画室内にゴンドララック１００を備えて冷却専用室１１０ａ、１１０ｂと加温専用室１１０ｃに分けてもよい。
【００７２】
このとき冷却専用室１１０ａの上部に商品２２を収納スペース９６へ持ち上げられるように開口部１１１が形成され、加温専用室１１０ｃの上部に開口部１１２が形成されることとなる。このように保温室９３内の商品２２を商品収納室９１内に持ち上げるリフトアップ機構１１３が構成されているものである。
【００７３】
以上のように構成された自動販売機の動作について説明する。
【００７４】
自動販売機本体９０内の商品２２は、商品収納室９１の商品収納コラム９２内に横倒し姿勢で収納されている。商品収納室９１の領域と空間部９８の領域は常温に維持されているので長期間ストックされていても品質を維持できる。
【００７５】
また商品収納室９１と自動販売機本体９０の間には断熱壁を構成する必要がなく、商品収納室９１をよりワイドに配置することができ、収納する商品２２の収納効率をアップすることができる。
【００７６】
ただし、自動販売機は屋外設置もあり、夏場の高外気にさらされるので、断熱壁を設けて外気による商品劣化を抑える構造にしてもよい。
【００７７】
そして、商品収納コラム９２内の最後方部にある商品２２から順番に商品搬送機構９９によって保温室９３内に搬送される。
【００７８】
ここで、商品搬送機構９９による商品搬送の詳細を説明すると、横倒し姿勢で商品収納コラム９２に収納された商品２２は、商品搬送機構９９の商品搬送手段１１６に乗り移り、搬送ステージ１１７に乗ったまま、商品搬送機構９９の下部へ移動し、搬送先のゴンドララック１００の一つ分左にずれた位置で、突上げ棒１２０が商品搬送手段１１６の中央孔１１６ｂと丁度合う位置に移動する。ここで、断熱仕切板９４に形成したシャッター９４ｂが開き、商品収納室９１と保温室９３が連通可能となる。この状態から商品搬送機構９９の横ステー１１５が下降すると、商品搬送手段１１６も下降し、その結果、突上げ棒１２０は商品搬送手段１１６の中央孔１１６ｂを挿通する。すると、突上げ棒１２０の上端が搬送ステージ１１７と当接し、搬送ステージ１１７は傾斜する。それによって、商品２２は孔シューター１１９に向かって滑り落ちる。孔シューター１１９の中央は孔部１１８であり、保温室９３と連通しているので、その先にあるゴンドララック１００の番地格納部１００ｃへ格納される。この際、該孔シューター１１９の右側の突上げ棒１２０が、商品２２を直立すべく案内する。
【００７９】
ゴンドララック１００への商品２２の搬送が終了すると、横ステー１１５が所定の待機位置へ上昇して帰っていき、シャッター９４ｂが閉じて、商品収納室９１と保温室９３を断熱区画する。
【００８０】
したがって、商品２２の搬送時以外はシャッター９４ｂで閉じて熱の移動を遮断しているので、保温室９３内の冷却または加温効率を高め、省エネを図ることができる。また商品収納室９１内を保温室９３からの熱影響を低減できるので商品２２の品質劣化を低減し長期の収納保存を実現することが出来る。
【００８１】
そして保存室９３内ではゴンドララック１００内の番地格納部１００ｃが商品収納コラム数または商品２２の銘柄数だけ構成されており、商品搬送機構９９に運ばれてくる商品２２に対して特定の番地格納部１００ｃへ収納され、別の銘柄商品には、その別の商品に対して特定された番地格納部１００ｄへ収納される。
【００８２】
そしてゴンドララック１００内で商品自身が自転し、回転撹拌しながら、冷却加温ユニット１０１によって高速冷却または高速加温を行い、適温に保温することができる。選択された商品２２は駆動部１００ａが回転動作することで、ゴンドララック１００の前方まで移動し、上方へリフトアップされて、排出搬送手段９５に受け渡されて、前方にある商品取出口２７の後方から前方に向かって排出される。
【００８３】
このため、商品２２は衝撃を受けることなく排出されるので、商品２２の傷つきや泡立ち等を防ぐことができる。また、利用者への排出動作が意匠的に見栄えがよく、商品２２を取出し易いので、取り損ねて商品２２を落したりして商品２２の破損や噴出しを低減することが出来る。
【００８４】
実施の形態１と同様に、選択ボタン３７に対して商品収納コラム９２と保温室９３のゴンドララック１００内の番地格納部１００ｃ、１００ｄ、１００ｅ・・・があらかじめ設定されており、利用者が好みの選択ボタン３７を操作することによって、番地格納部１００ｃ、１００ｄ、１００ｅ・・・から選択された商品２２が特定されて排出され、その特定商品と同じ商品２２を収納する商品収納コラム９２が特定されて、商品搬送機構９９によって選択されて、保温室９３内の番地格納部１００ｃ、１００ｄ、１００ｅ・・・に保温収納されるので、自動販売機内の商品収納室９１と保温室９３の自動在庫管理を行うことができるので、保温室９３内での滞在日数管理ができ、加温劣化防止のため、商品２２の売行き等によって、自動的に加温を中断し劣化防止を図ることができるので商品２２の鮮度を自動管理できる。また貯蔵ゾーンと保温ゾーンを断熱区画しているので、消費電力量を低減することができる。
【００８５】
また商品収納コラム９２は前後方向に移動可能であり、コラム９２内で商品詰りが起こった場合でも、前方に商品収納コラム９２を個別に引き出せるので、簡単に詰りを直すことができる。また商品収納コラム９２を左右方向でも傾斜設置になるように構成しておけば、商品収納コラム９２内を移動中に商品２２が不安定に転動することを低減でき商品２２の詰りを低減できる。
【００８６】
また断熱仕切板９４は商品収納室９１の全幅に亘って形成したが、少なくとも加温室１１０ｃの上部と商品収納室９１との間を断熱区画するものでもよく、この場合、冷却室１１０ａ、１１０ｂの上部は商品収納室９１と熱的に断熱されず、商品収納室９１内の商品２２も冷却保存されるので、同じ商品２２が短期間の間に販売される場合、商品温度を適温に維持することができ、販売機会を確保することができる。
【産業上の利用可能性】
【００８７】
以上のように、本発明にかかる自動販売機は商品２２を収納ゾーンと保温ゾーンに自動的に分けて商品管理を行うので、特に加温保存により品質劣化しやすい商品２２を扱う自動販売機の用途にも適用できる。
【図面の簡単な説明】
【００８８】
【図１】本発明の実施の形態１を示す自動販売機本体の正面図
【図２】同実施の形態の自動販売機本体の斜視図
【図３】同実施の形態の自動販売機の縦断面概略図
【図４】同実施の形態の自動販売機の部分斜視図
【図５】同実施の形態の自動販売機の部分斜視図
【図６】同実施の形態の自動販売機の部分斜視図
【図７】同実施の形態の自動販売機の部分斜視図
【図８】同実施の形態の自動販売機の部分縦断面図
【図９】同実施の形態の自動販売機の部分縦断面図
【図１０】本発明の実施の形態２を示す自動販売機本体の正面概略図
【図１１】同実施の形態の自動販売機本体の縦断面概略図
【図１２】同実施の形態の自動販売機の部分斜視図
【図１３】同実施の形態の自動販売機の部分斜視図
【図１４】従来の自動販売機の縦断面図
【符号の説明】
【００８９】
２２  商品
４０，９０  自動販売機本体
４１，９１  商品収納室
４３，９３  保温室
４４，９４  断熱仕切板
４６，９８  空間部
４７，９９  商品搬送機構
５５  商品搬送手段の横ステー（支持部材）
５６  商品搬送手段
５６ａ  軸部
５７  中継搬送手段
５７ａ  中継搬送手段の脚
５７ｂ  中継搬送手段の突出ピン
５８  後方引掛け部材（係合部材）
５９  搬送ステージ
５９ａ  搬送ステージの突起
６０  後方引掛け部材のバネ
６１  戻しバネ
６２  フック部材
６３  商品搬送手段の下ステー（下部支持部材）
６３ａ  下ステーの軸部
６３ｂ  下ステーの軸部
６３ｃ  下ステーのストッパー
１１５  商品搬送手段の横ステー（支持部材）
１１６  商品搬送手段
１１６ａ  搬送部の軸部
１１６ｂ  搬送部の中央孔
１１７  搬送ステージ
１１８  孔部
１１９  孔シューター
１２０  突上げ棒（突出部材）
１２１  商品搬送手段の下ステー（区画壁）
【図１】
2009015764.tif 000003
【図３】
2009015764.tif 000004
【図４】
2009015764.tif 000005
【図５】
2009015764.tif 000006
【図６】
2009015764.tif 000007
【図７】
2009015764.tif 000008
【図８】
2009015764.tif 000009
【図９】
2009015764.tif 000010
【図１２】
2009015764.tif 000011
【図１３】
2009015764.tif 000012
【図１４】
2009015764.tif 000013
【図２】
2009015764.tif 000014
【図１０】
2009015764.tif 000015
【図１１】
2009015764.tif 000016